(57)【要約】【課題】発熱部品から発する熱エネルギーの各ＬＥＤに対する影響を下げ、各ＬＥＤを適温の工作環境に保ち、使用寿命を延ばす蛍光灯型ＬＥＤ照明管を提供する。      【解決手段】蛍光灯型ＬＥＤ照明管は、中空管体、ＬＥＤモジュール、電源供給装置及び端管プラグを含む。ＬＥＤモジュールは中空管体内に納置する。電源供給装置はＬＥＤモジュールを電気連接し、且つ第一発熱部品を含み、第一発熱部品はＬＥＤモジュールの一側辺に位置する。端管プラグは電源供給装置を電気連接し、且つそれは中空管体の一端部で連接する。【選択図】図１
0003168948.tif 000002
【実用新案登録請求の範囲】
【請求項１】
蛍光灯型ＬＥＤ照明管において、
中空管体と、
該中空管体内に納置するＬＥＤモジュールと、
該ＬＥＤモジュールを電気連接し、第一発熱部品を含み、該第一発熱部品は該ＬＥＤモジュールの一側辺に位置する電源供給装置と、
該電源供給装置を電気連接し、該中空管体的一端部で連接する端管プラグを含むことを特徴とする蛍光灯型ＬＥＤ照明管。
【請求項２】
前記第一発熱部品は変圧器であることを特徴とする請求項１記載の蛍光灯型ＬＥＤ照明管。
【請求項３】
前記中空管体は、半円カバーと、該半円カバーに対応して組み合わせる半円形透光ミラーを含むことを特徴とする請求項２記載の蛍光灯型ＬＥＤ照明管。
【請求項４】
前記半円カバーの外部は、一対の外嵌合槽と多数の波形筋を成形し、該透光ミラーには湾曲して相互に対応する一対の嵌合条があり、該一対の嵌合条は該一対の嵌合槽に対応して嵌合連接することを特徴とする請求項３記載の蛍光灯型ＬＥＤ照明管。
【請求項５】
前記半円カバーの開口側は、平板が連接し、該半円カバー内部と該平板の間を囲って納置空間を形成し、該電源供給装置は更に該第一発熱部品を設置する回路板を含み、該回路板は該納置空間内に設置することを特徴とする請求項３記載の蛍光灯型ＬＥＤ照明管。
【請求項６】
前記平板は、下方に相互に対応する一対の折曲腕が伸び、各該折曲腕と該平板の間は内嵌合槽を成形し、該ＬＥＤモジュールは回路基板及び該回路基板に電気連接する多数のＬＥＤを含み、該回路基板の側面縁は該内嵌合槽内に挿入して設置し、該これらＬＥＤの熱端を該平板上に当てることを特徴とする請求項５記載の蛍光灯型ＬＥＤ照明管。
【請求項７】
前記中空管体は、半円カバーと、該半円カバーを一体化する半円形透光ミラーを含むことを特徴とする請求項１記載の蛍光灯型ＬＥＤ照明管。
【請求項８】
前記端管プラグは、放熱管、エンドキャップ及び二導電棒を含み、該放熱管の一端は該中空管体の端部に嵌合し、該放熱管の別一端は該エンドキャップを嵌合して合わせ、該二導電棒は該エンドキャップで固定し、且つ互いに電気連接し、該第一発熱部品は該放熱管内に納置することを特徴とする請求項１記載の蛍光灯型ＬＥＤ照明管。
【請求項９】
前記端管プラグは、放熱管及び二導電棒を含み、該二導電棒は該放熱管の一端に差し込んで固定し、該放熱管の別一端は該中空管体に嵌合し、該第一発熱部品は該放熱管内に納置することを特徴とする請求項１記載の蛍光灯型ＬＥＤ照明管。
【請求項１０】
前記端管プラグは、エンドキャップ及び二導電棒を含み、該二導電棒は該エンドキャップの一端に差し込んで固定し、該エンドキャップの別一端は該中空管体に嵌合し、該第一発熱部品は該中空管体内に納置することを特徴とする請求項１記載の蛍光灯型ＬＥＤ照明管。
【考案の詳細な説明】
【技術分野】
【０００１】
本考案は、管体照明具に関するもので、特に蛍光灯型ＬＥＤ照明管に係わる。
【背景技術】
【０００２】
近年では、発光ダイオード（ＬＥＤ）技術が大きく発展し進歩し続け、低エネルギーで使用寿命が長く、体積が小さい、反応が早い等の特徴を備え始め、徐々に伝統的な照明具から代替されている。特にＬＥＤを使用量最大の蛍光灯へ応用することが現在研究の主流課題となっている。
【０００３】
公知の蛍光灯型ＬＥＤ照明管には、主に管体、発光モジュール、電源供給器及び二個の電気コネクターを含み、そのうち発光モジュールは管体内部に納置される。発光モジュールは、回路板及び複数のＬＥＤを含み、各ＬＥＤは回路板下方に設置されて回路板が電気連接される。電源供給器は、発光モジュールに連接し、且つ回路板の上方に位置し、二個の電気コネクターはそれぞれ管体の両端に連接して電源供給器を電気連接し、蛍光灯型ＬＥＤ照明管が構成されている（例として特許文献１参照）。
【先行技術文献】
【特許文献】
【０００４】
【特許文献１】台湾  実用新案登録公示第ＴＷＭ３４３１１６号
【特許文献２】特許第４４９１６９５号明細書
【考案の概要】
【考案が解決しようとする課題】
【０００５】
解決しようとする問題点として、公知の蛍光灯型ＬＥＤ照明管は、その電源供給器が回路板の上方に位置するため、そこで発生する熱エネルギーが、その下に設置された各ＬＥＤに影響を与える。これらＬＥＤは、本体自身が発する熱エネルギーの他に更に電源供給器から発する廃熱まで受けるため、温度は常に高くなり、使用寿命を大幅に短くする点である。
【課題を解決するための手段】
【０００６】
本考案の蛍光灯型ＬＥＤ照明管は、中空管体、ＬＥＤモジュール、電源供給装置及び端管プラグを含む。ＬＥＤモジュールは中空管体内に納置する。蛍光灯型ＬＥＤ照明管の電源供給装置はＬＥＤモジュールを電気連接し、且つ第一発熱部品を含み、第一発熱部品はＬＥＤモジュールの一側辺に位置する。端管プラグは電源供給装置を電気連接し、且つそれは中空管体の一端部で連接することを最も主要な特徴とする。
【考案の効果】
【０００７】
本考案の蛍光灯型ＬＥＤ照明管は、半円管の外表面に多数の波形筋を形成することによって、その放熱表面積を増やし、放熱効果を高める。また、半円カバー上に内、外嵌合槽を設置することで、半円カバーに回路基板及び透光ミラーを組み立てるのが易しくなるという利点がある。
【図面の簡単な説明】
【０００８】
【図１】本考案の蛍光灯型ＬＥＤ照明管の立体分解図である。
【図２】本考案の蛍光灯型ＬＥＤ照明管の組立外観図である。
【図３】本考案の蛍光灯型ＬＥＤ照明管の組合断面図である。
【図４】本考案の蛍光灯型ＬＥＤ照明管の電源供給装置の別一実施例の立体分解図である。
【図５】本考案の蛍光灯型ＬＥＤ照明管の電源供給装置の更に別の実施例の立体分解図である。
【考案を実施するための形態】
【０００９】
高発熱の電子部品をＬＥＤモジュールの端部から遠ざけて設置し、発熱部品の熱エネルギーに依る各ＬＥＤへの影響を下げ、各ＬＥＤを適温の作業環境にして使用寿命を延ばす蛍光灯型ＬＥＤ照明管を提供することを本考案の目的とする。
【００１０】
上述の目的を達成するため、本考案は、蛍光灯型ＬＥＤ照明管を提供し、それは中空管体、ＬＥＤモジュール、電源供給装置及び一端管プラグを含む。該ＬＥＤモジュールは、該中空管体内に納置する。該電源供給装置は該ＬＥＤモジュールを電気連接し、該電源供給装置は第一発熱部品を含み、該第一発熱部品は、該ＬＥＤモジュールの一側辺に位置する。該端管プラグは該電源供給装置を電気連接し、且つ該端管プラグは該中空管体の一端部に連接する。
【実施例１】
【００１１】
本考案の蛍光灯型ＬＥＤ照明管の詳細説明及び技術内容に関して、図面と共に説明を加えているが、図面は説明のための参考であり、本考案に制限を加えるものではない。
【００１２】
図１から図３に示すとおり、本考案は蛍光灯型ＬＥＤ照明管を提供し、それは主に中空管体１０、ＬＥＤモジュール２０、電源供給装置３０及び端管プラグ４０を含む。
【００１３】
本実施例の蛍光灯型ＬＥＤ照明管の中空管体１０は、半円カバー１１と半円形の透光ミラー１８から組立構成される。この半円カバー１１は、アルミニウムもしくはアルミニウム合金等の材料で成形され、チューブ形状である。半円カバー１１の開口側には平板１２を連接し、半円カバー１１内部と平板１２間を囲うことで納置空間１３を形成する。この半円カバー１１の外表面は軸心線に平行の多数の波形筋１１１を形成し、その放熱表面積を広げる。他に半円カバー１１と平板１２の接合箇所内側に二個の螺設孔１４を成形し、半円カバー１１と平板１２の接合箇所外側には二個の外嵌合槽１５を成形する。また透光ミラー１８の開口側は内向きに湾曲して相互に対応する一対の嵌合条１８１があり、その二嵌合条１８１は前述の外嵌合槽１５に対応して嵌合連接し中空円管を形成する。また平板１２下方には相互に対応する一対の折曲腕１６が延び、各折曲腕１６と平板１２の間は内嵌合槽１７を形成する。
【００１４】
ＬＥＤモジュール２０は、主に回路基板２１及び回路基板２１に電気連接した多数のＬＥＤ２２を含む。各ＬＥＤ２２は間隔を開けて配列式で回路基板２１上に設置し、回路基板２１の側面縁は前述の内嵌合槽１７内に差し込み、各ＬＥＤ２２の熱端を平板１２上に当てることによって熱エネルギーの伝導を達成する。
【００１５】
電源供給装置３０は、ＬＥＤモジュール２０を電気連接し、主に回路板３１、第一発熱部品３２、第二発熱部品３３、第三発熱部品３４、第四発熱部品３５及びその他電子部品を含む。各発熱部品３２、３３、３４、３５は、それぞれ回路板３１上に敷設して電気連接する。そのうち、第一発熱部品３２が発する熱エネルギーは、それ以外の各発熱部品３３、３４、３５が発する熱エネルギーより高いか、もしくは同じとする。本実施例の蛍光灯型ＬＥＤ照明管の第一発熱部品３２は変圧器とする。それ以外の各発熱部品３３、３４、３５はそれぞれ整流器、コンデンサー、トランジスタ、もしくは濾波器等電子部品とするが、この種に制限されない。この他、組立時、回路板３１を前述の納置空間１３に対応させて挿入し、第一発熱部品３２、第二発熱部品３３、第三発熱部品３４を前述の各ＬＥＤ２２の一側辺位置で形成する。
【００１６】
本実施例の蛍光灯型ＬＥＤ照明管の端管プラグ４０の数量は二個とする。それぞれを中空管体１０の両端に嵌合する。その端管プラグ４０は、主に放熱管４１、エンドキャップ４２及び二導電棒４３を含み、放熱管４１はおよそ、円形で、放熱材で製造される。その放熱管４１の一端は、前述の半円カバー１１と透光ミラー１８の端部外周辺縁に嵌合し、ネジ等ネジ固定部品を前述の螺設孔１４内に差し込んで固定する。放熱管４１の別一端は、エンドキャップ４２と合わせて接続し、二導電棒４３は間隔を開けてエンドキャップ３２上に差し込み固定し、互いに電気連接する。それらは導電線と電源供給装置３０によって通電する。放熱管４１の内部空間は、各発熱部品３２、３３、３４を納置するのに用いられ、且つこれらの発熱部品３２、３３、３４が発する高熱エネルギーは放熱管４１を通して吸収し、これらの熱エネルギーを放熱管４１の外部空間へ伝導して放熱し、各ＬＥＤ２２を適温の作業環境に保って使用寿命を延ばす。
【実施例２】
【００１７】
図４に示すとおり、本考案の蛍光灯型ＬＥＤ照明管は、上述の実施例の他に、本実施例の中空管体１０’が半円カバー１１と半円形透光ミラー１８によって一体で製造され、半円カバー１１と透光ミラー１８の接合箇所には平板１２が成形される。他に、端管プラグ４０’は、放熱管４１及び二導電棒４３によって構成される。組立時、ＬＥＤモジュール２０の回路基板２１両側面縁は、それぞれ内嵌合槽１７に差し込み嵌合する。次に電源供給装置３０の回路板３１を納置空間１３に合わせて挿入し、第一発熱部品３２、第二発熱部品３３、第三発熱部品３４によって前述の各ＬＥＤ２２の一側辺位置で形成する。最後に、將端管プラグ４０’の放熱管４１は中空管体１０’の端部で対応させて組み合わせ、前述の各発熱部品３２、３３、３４を放熱管４１の内部空間内に納置する。
【実施例３】
【００１８】
図５に示すとおり、本実施例の中空管体１０”は、半円カバー１１と半円形透光ミラー１８によって一体で製造される。別に、端管プラグ４０”は、エンドキャップ４２及び二導電棒４３で構成される。組立時、ＬＥＤモジュール２０の回路基板２１両側面縁を内嵌合槽１７にそれぞれ差し込んで嵌合し、次に電源供給装置３０の回路板３１を納置空間１３に合わせて挿入し、第一発熱部品３２、第二発熱部品３３、第三発熱部品３４によって前述の各ＬＥＤ２２の一側辺位置で形成する。この時、各発熱部品３２、３３、３４は、各ＬＥＤ２２の上方には設置されていない。最後に、端管プラグ４０”のエンドキャップ４２を中空管体１０”の二端に対応させて嵌合して組み立てる。この時、前述の各発熱部品３２、３３、３４は、中空管体１０”内部空間に納置する。
【００１９】
上述するとおり、本考案の蛍光灯型ＬＥＤ照明管は、予定した使用目的を達成し、公知の欠点を改善する。また、新規性及び進歩性に極めて優れ、実用新案登録の申請要件に符合するため、ここに請求して、考案者の権利を保護する。
【符号の説明】
【００２０】
１０        中空管体
１０’      中空管体
１０”      中空管体
１１        半円カバー
１１１        波形筋
１２        平板
１３        納置空間
１４        螺設孔
１５        外嵌合槽
１６        折曲腕
１７        内嵌合槽
１８        透光ミラー
１８１        嵌合条
２０        ＬＥＤモジュール
２１        回路基板
２２        ＬＥＤ
３０        電源供給装置
３１        回路板
３２        第一発熱部品
３３        第二発熱部品
３４        第三発熱部品
３５        第四発熱部品
４０        端管プラグ
４０’      端管プラグ
４０”      端管プラグ
４１        放熱管
４２        エンドキャップ
４３        導電棒
【図１】
0003168948.tif 000003
【図２】
0003168948.tif 000004
【図３】
0003168948.tif 000005
【図４】
0003168948.tif 000006
【図５】
0003168948.tif 000007